(57)【要約】【課題】バールや金切り鋏等の工具を用いた手口に対しても金銭処理装置の防盗性を確保すること。【解決手段】操作パネル２０の前方域に外扉１０の前壁となる前壁パネル１１を備える一方、この操作パネル２０よりも内方側となる部位に紙幣処理装置１４ａを配設し、外扉１０の前壁パネル１１に形成した操作開口１１ａを通じて金銭が投入された場合に紙幣処理装置１４ａによって入金処理を行うようにした自動販売機において、操作パネル２０において紙幣処理装置１４ａの前方域となる位置に補強板２２を取り付けることによって厚板に構成している。【選択図】        図２
2005165595.tif 000002
【特許請求の範囲】
【請求項１】
前面パネルよりも内方側となる部位に金銭処理装置を配設し、金銭が投入された場合に前記金銭処理装置によって入金処理を行うようにした自動販売機において、
前面パネルにおいて前記金銭処理装置の前方域となる位置を厚板に構成したことを特徴とする自動販売機。
【請求項２】
前面パネルの前方域に外扉の前壁となる前壁パネルを備える一方、この前面パネルよりも内方側となる部位に金銭処理装置を配設し、前記外扉の前壁パネルに形成した操作開口を通じて金銭が投入された場合に前記金銭処理装置によって入金処理を行うようにした自動販売機において、
前面パネルにおいて前記金銭処理装置の前方域となる位置を厚板に構成したことを特徴とする自動販売機。
【請求項３】
前面パネルに補強板を取り付けることによって厚板に構成することを特徴とする請求項１または２に記載の自動販売機。
【請求項４】
前壁パネルよりも内方側となる部位に前面パネルを配設するとともに、前記前壁パネルの操作開口周縁部に前記前面パネルに向けてフランジを形成したことを特徴とする請求項２に記載の自動販売機。
【発明の詳細な説明】
【技術分野】
【０００１】
本発明は、前面パネルよりも内方側となる部位に金銭処理装置を配設し、金銭が投入された場合に前記金銭処理装置によって入金処理を行うようにした自動販売機に関するもので、より詳細には金銭処理装置の防盗性を考慮した自動販売機に関するものである。
【背景技術】
【０００２】
従来より、貨幣を取り扱う自動販売機にあっては、貨幣の盗難に対して種々の考慮がなされている。例えば、紙幣処理装置の紙幣挿入口と紙幣収納部との間に紙幣投入口の延長線上に対向して補強板を設け、紙幣投入口から外力が与えられた場合に補強板によって紙幣収納部を覆うようにしたものが提供されている。
【０００３】
この自動販売機によれば、紙幣投入口からドライバーのようなものが押し込まれた場合、紙幣の上方に補強板が倒れ込んでこれらを覆い隠すようになるため、紙幣の防盗性を向上させることができるようになる（例えば、特許文献１参照）。
【０００４】
【特許文献１】特開２００１−２０９８５２号公報
【発明の開示】
【発明が解決しようとする課題】
【０００５】
ところで、昨今においては、バールや金切り鋏等の工具によって前面パネルを破壊し、金銭処理装置ごと持ち出すような手口も見受けられるようになってきた。こうした手口の場合、補強板によって紙幣を覆い隠すようにしたところで何等役に立たず、一度に蒙る被害額も多大なものとなる。
【０００６】
本発明の目的は、上記実情に鑑みて、バールや金切り鋏等の工具を用いた手口に対しても金銭処理装置の防盗性を確保することのできる自動販売機を提供することにある。
【課題を解決するための手段】
【０００７】
上記目的を達成するため、本発明の請求項１に係る自動販売機は、前面パネルよりも内方側となる部位に金銭処理装置を配設し、金銭が投入された場合に前記金銭処理装置によって入金処理を行うようにした自動販売機において、前面パネルにおいて前記金銭処理装置の前方域となる位置を厚板に構成したことを特徴とする。
【０００８】
また、本発明の請求項２に係る自動販売機は、前面パネルの前方域に外扉の前壁となる前壁パネルを備える一方、この前面パネルよりも内方側となる部位に金銭処理装置を配設し、前記外扉の前壁パネルに形成した操作開口を通じて金銭が投入された場合に前記金銭処理装置によって入金処理を行うようにした自動販売機において、前面パネルにおいて前記金銭処理装置の前方域となる位置を厚板に構成したことを特徴とする。
【０００９】
また、本発明の請求項３に係る自動販売機は、上述した請求項１または２において、前面パネルに補強板を取り付けることによって厚板に構成することを特徴とする。
【００１０】
また、本発明の請求項４に係る自動販売機は、上述した請求項２において、前壁パネルよりも内方側となる部位に前面パネルを配設するとともに、前記前壁パネルの操作開口周縁部に前記前面パネルに向けてフランジを形成したことを特徴とする。
【発明の効果】
【００１１】
本発明に係る自動販売機によれば、金銭処理装置の前方域となる位置を厚板に構成しているため、バールや金切り鋏等の工具を用いた場合にも前面パネルが容易に捲り上げられたり、容易に切り裂かれたりする虞れがなくなり、金銭処理装置の防盗性を向上させることができるようになる。
【発明を実施するための最良の形態】
【００１２】
以下に添付図面を参照して、本発明に係る自動販売機の好適な実施の形態について詳細に説明する。
【００１３】
図１は、本発明の実施の形態である自動販売機を概念的に示したものである。ここで例示する自動販売機は、本体キャビネット１に収納した商品の販売を行うもので、この本体キャビネット１の前面に外扉１０を備えている。外扉１０は、本体キャビネット１の前面開口を覆うためのもので、本体キャビネット１の一側縁部に開閉可能に配設してある。外扉１０の前面は、板厚が１ｍｍ程度の金属薄板からなる前壁パネル１１によって覆ってある。
【００１４】
この外扉１０の前壁パネル１１には、商品見本陳列部１２、商品取出口１３、紙幣投入口１４、硬貨投入口１５、表示部１６等、商品を販売する上で必要となる構成が設けてある。
【００１５】
商品見本陳列部１２は、本体キャビネット１に収納した商品に対応する商品見本を外部に視認させるためのもので、前壁パネル１１に窓穴１２ａを形成するとともに、この窓穴１２ａを透明の窓板１２ｂによって覆うことにより構成してある。図には明示していないが、窓板１２ｂには、商品を選択する際にＯＮ操作される押ボタンが商品見本毎に個別に設けてある。
【００１６】
商品取出口１３は、本体キャビネット１に収納された商品が払い出された場合に、これを外部に取り出すための開口である。
【００１７】
紙幣投入口１４は、利用者が紙幣を投入するための開口である。図２〜図５に示すように、この紙幣投入口１４を通じて投入された紙幣は、紙幣処理装置１４ａにおいて適宜処理されることになる。紙幣処理装置（金銭処理装置）１４ａは、紙幣投入口１４を通じて投入された紙幣が正規なものであるか否かを識別し、正規なものとして識別した紙幣を内部に取り込む一方、損傷や偽造等の理由により正規な紙幣として識別できなかった紙幣を返却するものである。また、紙幣処理装置１４ａは、紙幣が投入された直後に返却レバー１７が操作された場合、これを返却するように機能する。尚、紙幣処理装置１４ａの紙幣投入口１４は、紙幣を返却する際の紙幣返却口としても機能する。
【００１８】
硬貨投入口１５は、利用者が硬貨を投入するための開口である。この硬貨投入口１５を通じて投入された硬貨は、硬貨処理装置１５ａにおいて適宜処理されることになる。硬貨処理装置１５ａは、硬貨投入口１５を通じて投入された硬貨が正規なものであるか否かを識別し、正規なものとして識別した硬貨を内部に取り込む一方、損傷や偽造等の理由により正規なものとして識別できなかった硬貨を返却するものである。また、硬貨処理装置１５ａは、硬貨が投入された直後に返却レバー１７が操作された場合、これを返却するように機能する。尚、硬貨処理装置１５ａによって正規なものとして内部に取り込まれた硬貨は、その後、図示していない硬貨回収箱に回収されることになる。また、硬貨投入口１５から投入した硬貨を返却する場合には、外扉１０の下部に設けた硬貨返却口１８（図１参照）を通じて行われる。
【００１９】
表示部１６は、利用者が投入した貨幣の入金額、釣銭の金額等々、商品を販売する上で必要となる各種情報を外部に表示するためのものであり、例えば液晶表示器によって構成してある。
【００２０】
図２〜５に示すように、本実施の形態では、上述した構成のうち、表示部１６、紙幣処理装置１４ａおよび硬貨処理装置１５ａを外扉ロック１９とともに操作パネル２０（前面パネル）の内方側に取り付けることによって予め一つの操作ユニットとして一体化してある。操作パネル２０は、１ｍｍ程度の板厚を有した金属薄板であり、個別の開口を介して表示部１６の表示画面、紙幣処理装置１４ａの紙幣投入口１４、外扉ロック１９の操作ハンドル１９ａ、返却レバー１７および硬貨処理装置１５ａの硬貨投入口１５がそれぞれ外部に露出する態様でその内方側に表示部１６、紙幣処理装置１４ａ、硬貨処理装置１５ａおよび外扉ロック１９を保持している。操作パネル２０の前面は、１ｍｍ程度の板厚を有した金属薄板からなる化粧パネル２１によって覆ってある。尚、図４中の符号１４ｂは、紙幣処理装置１４ａを操作パネル２０に取り付けるための取付金である。
【００２１】
この操作ユニットは、外扉１０の他側縁部に設けた操作開口１１ａに対向する態様で前壁パネル１１の内方側に取り付けてある。前壁パネル１１の操作開口１１ａは、表示部１６の表示画面、紙幣処理装置１４ａの紙幣投入口１４、外扉ロック１９の操作ハンドル１９ａ、返却レバー１７および硬貨処理装置１５ａの硬貨投入口１５を含むように形成した縦長状を成しており、これらの外部からの視認性や操作性を確保している。また、操作開口１１ａの周縁部には、全周に亘ってフランジ１１ｂが設けてある。フランジ１１ｂは、前壁パネル１１と操作パネル２０との間の隙間に対する異物の浸入を抑制するべく、操作開口１１ａの周縁部から操作パネル２０に向けて形成してある。
【００２２】
さらに、上記自動販売機では、化粧パネル２１の前面において紙幣処理装置１４ａの前方域となる部位に補強板２２を取り付けてある。補強板２２は、操作パネル２０や化粧パネル２１よりも十分に厚板の金属板、具体的には＊＊ｍｍ程度の板厚を有した金属板によって構成したもので、紙幣投入口１４と外扉ロック１９との間を覆う態様で設けてある。具体的には、図４および図６に示すように、補強板２２の適宜箇所に角穴２２ａを設けるとともに、化粧パネル２１および操作パネル２０にそれぞれボルト挿通穴（図示せず）を設け、補強板２２の前面側から角穴２２ａに角根ボルト２３を挿通させた後、挿通端部にナット２４を螺合させることにより、化粧パネル２１の前面に補強板２２を取り付けるようにしている。図５からも明らかなように、上述した操作開口１１ａ部の周縁部に設けたフランジ１１ｂは、補強板２２の板厚よりも大きな長さを有しており、前壁パネル１１の前面から補強板２２の前面が突出することはない。
【００２３】
上記のように構成した自動販売機によれば、紙幣処理装置１４ａの前方域となる位置が補強板２２によって厚板に構成されるため、バールや金切り鋏等の工具を用いた場合にも化粧パネル２１や操作パネル２０が容易に捲り上げられたり、容易に切り裂かれたりする虞れがなくなる。この結果、紙幣処理装置１４ａごと自動販売機から持ち出すことが困難となり、その防盗性を著しく向上させることが可能となる。
【００２４】
尚、上述した実施の形態では、外扉１０の前壁パネル１１において紙幣処理装置１４ａの前方域となる部位に操作開口１１ａを有した自動販売機を例示しているが、例えば図７に示す変形例のように、紙幣処理装置１４ａの前方域となる部位に補強板２２を取り付けた上で、さらにその前方域を外扉１０の前壁パネル１１によって覆うように構成すれば、当該紙幣処理装置１４ａの防盗性がより向上することになる。
【００２５】
また、上述した実施の形態では、紙幣処理装置１４ａの前方域となる部位のみを厚板に構成するようにしているが、硬貨処理装置１５ａの前方域となる部位をも厚板に構成するようにしても構わない。
【００２６】
さらに、前面パネルである操作パネル２０の前面から補強板２２を取り付けるようにしているが、操作パネル２０の内面に補強板２２を取り付けるようにしても同様の作用効果を期待することができる。
【図面の簡単な説明】
【００２７】
【図１】本発明の実施の形態である自動販売機を概念的に示した斜視図である。
【図２】図１に示した自動販売機の要部を示す拡大正面図である。
【図３】図１に示した自動販売機の要部を示す拡大分解斜視図である。
【図４】図１に示した自動販売機の要部を示す拡大断面側面図である。
【図５】図２における V−V 線断面図である。
【図６】図１に示した自動販売機に適用する補強板と角根ボルトを示す分解斜視図である。
【図７】本発明の変形例である自動販売機を示す要部拡大正面図である。
【符号の説明】
【００２８】
１      本体キャビネット
１０      外扉
１１      前壁パネル
１１ａ      操作開口
１１ｂ      フランジ
１２      商品見本陳列部
１２ａ      窓穴
１２ｂ      窓板
１３      商品取出口
１４      紙幣投入口
１４ａ      紙幣処理装置
１５      硬貨投入口
１５ａ      硬貨処理装置
１６      表示部
１７      返却レバー
１８      硬貨返却口
１９      外扉ロック
１９ａ      操作ハンドル
２０      操作パネル
２１      化粧パネル
２２      補強板
２２ａ      角穴
２３      角根ボルト
２４      ナット
【図１】
2005165595.tif 000003
【図２】
2005165595.tif 000004
【図３】
2005165595.tif 000005
【図４】
2005165595.tif 000006
【図５】
2005165595.tif 000007
【図６】
2005165595.tif 000008
【図７】
2005165595.tif 000009